(57)【要約】      （修正有）【課題】耳掛けなどを用いることなく、顔を多少傾けても簡単にずり落ちることなく、且つ使用者へ違和感を与えることのない顔面保護カバーを提供する。【解決手段】顔面の額から顎まで覆う大略Ｕ形状の顔面保護カバーであって、Ｕ形状の内布と外布の外周部を縫合して内部に空気層を形成する一方、該内布と外布にその上端中央より約１／３高さに亘って形成したＵ字状切欠き部の内縁部を互いに左右合わせ縫合して設けた接合部を形成し、同接合部下端を頂点として顔面保護カバー全体に膨らみを構成すると共に、該顔面保護カバーの上部中央に鼻梁ラインに沿ったテーパを形成するようにした。【選択図】図６
0003156591.tif 000002
【実用新案登録請求の範囲】
【請求項１】
顔面の額から顎まで覆う大略Ｕ形状の顔面保護カバーであって、Ｕ形状の内布と外布の外周部を縫合して内部に空気層を形成する一方、該内布と外布にその上端中央より約１／３高さに亘って形成したＵ字状切欠き部の内縁部を互いに左右合わせ縫合して設けた接合部を形成し、同接合部下端を頂点として顔面保護カバー全体に膨らみを構成すると共に、該顔面保護カバーの上部中央に鼻梁ラインに沿ったテーパを形成するようにしたことを特徴とする顔面保護カバー。
【請求項２】
テーパ部の左右且つ上記内外布間に位置して、樹脂粒材を収納した押圧袋体を設けたことを特徴とする請求項１に記載の顔面保護カバー。
【考案の詳細な説明】
【技術分野】
【０００１】
本考案は、洗髪及び染髪時などに用いる顔面保護カバーに関する。
【背景技術】
【０００２】
一般に、洗髪等を行う時の顔面保護カバーは、各種の簡便な方法が採用されており、例えば、適宜の大きさのガーゼ、ペーパー、タオル、薄地の布で顔面を覆う方法である。しかし、この方法では、お客様が顔又は顔面を僅か動かしたり、また洗髪等の際の必要時に顔又は顔面を僅か動かしたりした際に、カバー体が外れる若しくは、ずれることが間々あった。
【０００３】
これらの改良として、種々の提案がされている。例えば、下記のものがある。
（１）人の顔面の額から鼻まで覆う扁平おむすび形、ハート型、三角形等をなすカバーであって、顔面の鼻梁ラインに沿って掴み片を形成した顔面保護カバー。（特許文献１）
（２）顔面全体を覆うシート本体の中央部を重ねて接着し突起状となし、その両端に耳掛けループを設けた構成の顔面保護カバー。（特許文献２）
（３）全体としておむすび型をなす撥水加工布で構成した顔面保護カバー。（特許文献３）
（４）最もシンプルな顔面ペーパーカバーとガーゼの組み合わせでなる構成の顔面保護カバー。（特許文献４）
（５）目、鼻に当たる部分を膨出形成し、鼻までを覆う構成の顔面保護カバー（特許文献５）
【先行技術文献】
【特許文献】
【０００４】
【特許文献１】実用新案登録第３０００１９２号公報
【特許文献２】実開平５−５００４号公報
【特許文献３】実開平３−４９７０２号公報
【特許文献４】実開平２−１２２６０４号公報
【特許文献５】実開昭５８−９８００３号公報
【考案の概要】
【考案が解決しようとする課題】
【０００５】
上記従来の構成では、顔面を僅か動かすことにより脱外する虞があること、また顔面よりシート本体、ガーゼ、タオル等がずれないように自分で押える必要性があり、大変面倒であること、又は当該シート本体等がずれ、不快な感じを与えられたり、大変煩わしいこと、口まで覆うと息苦しさを感じる、等の課題がある。また、シート本体をシール等を用いて顔面に貼付け固定したり、耳に引掛けて固定する構成ではかなり違和感があることと、当該シートの脱着に手間及び時間を要し、作業性の低下又は無駄な作業等の課題が考えられる。また、特許文献で多く見られるのが、鼻まで覆う物であり近年の室内環境を鑑みれば、空調機等で乾燥している状況が多いこと、また場所的に埃等が多いため鼻及び口まで覆う物がより快適に作業を受けられること。本人及び作業を施してくれる理美容師の口臭をも気にされる方もおられることから改良されるべき課題である。
【課題を解決するための手段】
【０００６】
本考案は、顔面の額から顎まで覆う大略Ｕ形状の顔面保護カバーであって、
Ｕ形状の内布と外布の外周部を縫合して内部に空気層を形成する一方、該内布と外布にその上端中央より約１／３高さに亘って形成したＵ字状切欠き部の内縁部を互いに左右合わせ縫合して設けた接合部を形成し、同接合部下端を頂点として顔面保護カバー全体に膨らみを構成すると共に、該顔面保護カバーの上部中央に鼻梁ラインに沿ったテーパとしたことを主要な特徴とする。
【０００７】
第２に、テーパ部の左右且つ上記内外布間に位置して、樹脂粒材を収納した押圧袋体を設けたことを特徴とする。
【考案の効果】
【０００８】
本考案の顔面保護カバーは、突合せ接合部下端を頂点として顔面保護カバー全体に膨らみを構成すると共に、該顔面保護カバーの上部中央に鼻梁ラインに沿ったテーパ部を形成するようにしたので、突合せ接合部下端を顔の鼻頂部に合わせて顔に被せるだけで、顔面保護カバーの膨らみで顔を包み込むように覆うと同時に、テーパ部を顔の鼻梁ラインに沿わせることができ、使用者が顔を左右に傾けてもずれ落ちるのを防止することができる。また、顔面保護カバー装着時、同顔面保護カバーの膨らみにより鼻の下に空間部を形成することができ、内外布間の空間層との相乗効果によって、使用者に圧迫感や息苦しさを与えることもなく非常に使用感が良いものとなる。
【０００９】
また、突合せ接合部下端を摘み部として用いることができ、顔面保護カバーの着脱操作及び微調整操作を簡便にできる。更に、突合せ接合部を利用して安易に二つ折りが出来、保管時にもコンパクトに収納でき大変重宝する。
【００１０】
また、テーパ部の左右且つ上記内外布間に位置して、樹脂粒材を収納した押圧袋体を設けたものにおいては、顔面保護カバー装着時に目の所要の押圧効果を付与し、使用者にマッサージ効果と心地よさを与えることができるものである。
【図面の簡単な説明】
【００１１】
【図１】本考案の一実施例の顔面保護カバーを示し、（Ａ）は顔面保護カバーの正面  図、（Ｂ）は顔面保護カバーの側面図である。
【図２】図１の断面図を示し、（Ａ）はＡ−Ａ断面図、（Ｂ）はＢ−Ｂ断面図である。
【図３】本考案の一実施例の顔面保護カバーの内外布の展開図である。
【図４】本考案の一実施例の顔面保護カバーの折畳み状態を示す側面図である。
【図５】本考案の顔面保護カバーを顔面に装着した状態を示す使用状態図である。
【図６】図５の側面図である。
【図７】本考案の他の実施例の顔面保護カバーを示す使用状態図である。
【図８】図７の要部側面図である。
【図９】押圧袋体の収納状態を示す要部断面図である。
【図１０】押圧袋体を示す概要図である。
【考案を実施するための形態】
【００１２】
以下、本考案の顔面保護カバーを図１乃至図６を用いて詳細に説明する。
【００１３】
本考案の顔面保護カバー１は、個人により異なるが大略額より顎に亘る顔全体を覆う程度の大きさで、図１（Ａ）に示すように略Ｕ形状とすると共に、図１（Ｂ）に示すように例えば面のように顔面保護カバー１全体に膨らみｄを形成している。また、顔面保護カバー１は、図２（Ａ）、（Ｂ）に示すように例えばガーゼ等の２枚の内布２と外布３の周囲を縫合して構成してなり、同内布・外布２、３間に空気層ｋを形成するようにしている。更に、顔面保護カバー１の上部中央には約１／３高さに亘って顔の鼻梁ラインに沿ったテーパを有する接合部４を形成している。
【００１４】
上記顔面保護カバー１の製作工程について図３を用いて説明する。同図３に示すように縫合前の内布２及び外布３は共にＵ字型となし、その上部中央に上端より約１／３高さに亘ってＵ形状切欠き５を形成している。
【００１５】
先ず、この２枚の内布２と外布３を重ね合わせて、上端縁２２（３２）を残してその外周縁２１、３１同士を縫合する。しかる後、内布２と外布３個別にＵ形状切欠き５の中央６から左右に折り、同Ｕ形状切欠き５の左右内縁同士が重なり合うようにして同内縁同士を縫合し接合部４を形成する。
【００１６】
そして、外周縁２１、３１及びＵ形状切欠き５の左右内縁同士が縫合された状態の内外布２、３を裏返して縫合部を内側にすると、図２に示すように内布２と外布３の間に空気層ｋが形成される。また、開いた状態においてはＵ形状切欠き５の左右内縁同士を互いに引き寄せて縫合されることになるので、図１（Ｂ）に示すように接合部４の下端を頂部４ａとしてその上部に顔の鼻梁ラインに沿ったテーパを有する接合部４が形成される一方、顔面保護カバー１全体には図１（Ｂ）に示すような膨らみｄが形成される。なお、図１（Ａ）に示すように顔面保護カバー１は左右幅が中央から上部に向かって幅狭となる。
【００１７】
最後に、内布２と外布の上端縁２２、３２同士を縫合して顔面保護カバー１を完成させる。
【００１８】
次ぎに、その使用時について図５と図６を用いて説明する。顔面保護カバー１を開いた状態において、接合部４下端の頂部４ａを摘みとして把持し、図５に示すように顔に装着する。この時、図６に示すように頂部４ａを把持して同頂部４ａが鼻の頂部と略合致するよう微調整して装着すると、顔面保護カバー１の膨らみｄにより同顔面保護カバー１顔の輪郭に合わせて顔を包み込むようにフィットする共に、接合部４のテーパ面が顔の鼻梁ラインに沿って配置されるので、この状態で顔を多少傾けても簡単にずり落ちるのを極力防止することができる。
【００１９】
また、図６に示すように鼻の下側には、顔面保護カバー１の膨らみｄにより所要の空間６が形成され、これにより、鼻及び口に密着することもなく使用者へ圧迫感や違和感を与えることも無くすことができる。鼻及び口まで覆うことにより空調機等による乾燥を防ぎ、埃等を吸い込む心配が無く、快適に作業を受け得れ易い構造となっている。
【００２０】
なお、顔面保護カバー１は、上述の如く左右幅が中央から上部に向かって幅狭としているので、図６に示すように、装着時ほほ骨当たりを境に目側及び口側共に切れ上がり顔の輪郭に近づけ、顔面保護カバー１自体をコンパクトに構成している。
【００２１】
上記顔面保護カバー１の取り外し時には、上記頂部４ａを把持し顔から取り除く。このように、頂部４ａを摘みとできるので、従来カバーの端を手でめくって取り外した際に額等に付着した染髪時の染料が理美容師の手に付着することもなく作業が行え、使い勝手の良いものである。
【００２２】
また、保管時には、図４に示すように顔面保護カバー１の接合部４を中心として折ってコンパクトな折り畳み状態とすればよく、小スペースで保管できると共に取扱も簡単で大変重宝する構造となっている。
【００２３】
次に、図７から図１０を用いて本考案の他の実施例について説明する。同一構成については同一符号を記し説明を省略する。
図中、顔面保護カバー１の接合部４の左右、即ち目に位置する部分に図１０に示す押圧袋体７を設けている。この押圧袋体７は、袋部８内部に重量を有した樹脂粒材９を収納してなり、中央仕切部１０にて左右の目に合わせてそれぞれ独立して構成されている。そして、図９に示すように上記顔面保護カバー１の内布２及び外布３の外周縁の縫合、及びいずれか一方のＵ形状切欠き５の左右内縁同士の縫合時に一緒に縫合することにより、丁度目に当たる部分に位置して同内布２と外布３との間に収納するようにしている。
【００２４】
この顔面保護カバー１を顔に装着すると、図８に示すように押圧袋体７が目の上部に位置し、その所要の重量により目部位を指圧することとなる。なお、押圧袋体７内の樹脂粒材９は袋部８内で移動するため、装着時に樹脂粒材９が偏っている場合には、軽く指で押してほぼ均等に広がるようにしてやればよい。これにより、目全体に均等に押圧力がかかり心地よいマッサージ効果を与える顔面保護カバーを提供することができる。
【産業上の利用可能性】
【００２５】
本考案は、理美容室の洗髪並びに染髪時に使用可能な顔面保護カバーとして使用できるほか、飛行機の機内、自動車等での仮眠時等幅広く適用できるフェースマスク代わりとしても有効である。
【符号の説明】
【００２６】
１  顔面保護カバー
２  内布
２１  外周縁
２２  上端縁
３  外布
３１  外周縁
３２  上端縁
４  接合部
４ａ  頂部
５  Ｕ形状切欠き
６  空間
７  押圧袋体
８  袋部
９  樹脂粒材
１０  中央仕切部
ｋ  空気層
ｄ  膨らみ
【図１】
0003156591.tif 000003
【図２】
0003156591.tif 000004
【図３】
0003156591.tif 000005
【図４】
0003156591.tif 000006
【図５】
0003156591.tif 000007
【図６】
0003156591.tif 000008
【図７】
0003156591.tif 000009
【図８】
0003156591.tif 000010
【図９】
0003156591.tif 000011
【図１０】
0003156591.tif 000012